(57)【要約】【課題】  テレビ放送の方式等を大きく変更することなしに、ＣＭ映像を視聴した視聴者だけが番組情報（本映像）を視聴することができる録画・再生システムを提供する。【解決手段】  本発明に係る録画・再生システム１を、少なくとも一組のＣＭ映像３３と本映像３５とが連続して構成される番組情報３０を受信して記憶するＨＤＤ１４と、このＨＤＤ１４に記憶された番組情報３０を読み出す読み出し部１５と、読み出し部１５により読み出された番組情報３０を再生する再生部１７と、番組情報３０を再生するための認証を行うユーザ管理６３と、ユーザ管理６３により認証が行われ、且つ、番組情報３０のＣＭ映像３３が再生部１７により所定の時間再生されたときにのみ、本映像３５の再生部１７による再生を許容する制御部１６とから構成する。【選択図】  図３
2006054795.tif 000002
【特許請求の範囲】
【請求項１】
少なくとも一組のＣＭ映像と本映像とが連続して構成される番組情報を受信して記憶する記憶部と、
前記記憶部に記憶された前記番組情報を読み出す読み出し部と、
前記読み出し部により読み出された前記番組情報を再生する再生部と、
前記番組情報を再生するための認証を行う認証部と、
前記認証部により認証が行われ、且つ、前記番組情報の前記ＣＭ映像が前記再生部により所定の時間再生されたときにのみ、前記本映像の前記再生部による再生を許容する制御部とを有することを特徴とする録画・再生システム。
【請求項２】
前記番組情報が前記ＣＭ映像の再生時間情報を含み、
前記制御部が、前記ＣＭ映像が前記再生部により前記再生時間情報に対応する時間再生されたときにのみ、前記本映像の前記再生部による再生を許容するように構成されたことを特徴とする請求項１に記載の録画・再生システム。
【請求項３】
前記記憶部、前記読み出し部、前記再生部、及び、前記制御部を有する録画・再生装置と、
前記認証部を有する管理装置と、
前記録画・再生装置及び前記管理装置を接続してデータの送受信を行うネットワークとから構成されることを特徴とする請求項１または２に記載の録画・再生システム。
【請求項４】
前記本映像がスクランブルされており、
前記管理装置が、前記本映像のスクランブルを解除するための鍵情報を管理する鍵管理部を有し、
前記制御部が、前記本映像の再生を許容するときに、前記鍵管理部から前記鍵情報を取得して前記本映像のスクランブルを解除するように構成されたことを特徴とする請求項３に記載の録画・再生システム。
【発明の詳細な説明】
【技術分野】
【０００１】
本発明は、テレビ放送等による番組情報を録画し、再生する録画・再生システムに関する。
【背景技術】
【０００２】
情報処理能力の向上、映像のデジタル化技術の進歩、及び、記憶媒体の高密度化・高容量化に伴いテレビ放送等による番組情報をデジタル化して記憶媒体（例えば、ハードディスクやＤＶＤ）に録画する録画・再生装置が普及しはじめている（例えば特許文献１参照）。ハードディスクを記憶媒体にした録画・再生装置の場合、従来のビデオテープを用いたものと異なり、記憶媒体を交換することなしに長時間の映2像を録画することができる。そのため、テレビ放送がされているときに番組を視聴するよりも、録画予約機能により録画しておいて、時間のあるときにまとめて視聴するという視聴者が増えてきている。
【０００３】
【特許文献１】特開２００４−２３５８８号公報
【発明の開示】
【発明が解決しようとする課題】
【０００４】
このように、録画・再生装置に録画された番組を視聴する場合、番組中に挿入されているコマーシャル映像（以下、「ＣＭ映像」と呼ぶ）を、録画装置が備える早送り再生機能等で早送りして（飛ばして）視聴しない場合が多くなる。しかしながら、多くのテレビ番組はＣＭを放送し、それを番組の視聴者が視聴することを前提にした収入で製作されている。すなわち、視聴者は番組に対して視聴料を払うことなしに番組を視聴することができる。そのため、多くの視聴者が録画・再生装置に番組を録画してから視聴することにより、ＣＭ映像の部分を飛ばして視聴しなくなると、番組製作者（テレビ局）は収入が断たれることとなり、ひいては視聴者が無料でテレビ番組を見ることができなくなるという課題があった。
【０００５】
本発明は、このような課題に鑑みてなされたものであり、テレビ放送の方式等を大きく変更することなしに、ＣＭ映像を視聴した視聴者だけが本映像（番組）を視聴することができる録画・再生システムを提供すること目的とする。
【課題を解決するための手段】
【０００６】
前記課題を解決するために、本発明に係る録画・再生システムは、少なくとも一組のＣＭ映像と本映像とが連続して構成される番組情報を受信して記憶する記憶部（例えば、実施形態におけるＨＤＤ１４）と、この記憶部に記憶された番組情報を読み出す読み出し部と、読み出し部により読み出された番組情報を再生する再生部と、番組情報を再生するための認証を行う認証部（例えば、実施形態におけるユーザ管理６３）と、認証部により認証が行われ、且つ、番組情報のＣＭ映像が再生部により所定の時間再生されたときにのみ、本映像の再生部により再生を許容する制御部とを有して構成される。
【０００７】
このとき、番組情報がＣＭ映像の再生時間情報（例えば、実施形態における属性情報３２）を含み、制御部が、このＣＭ映像が再生部により再生時間情報に対応する時間再生されたときのみ、本映像の再生部による再生を許容するように構成されることが好ましい。
【０００８】
また、本発明に係る録画・再生システムは、上述の記憶部、読み出し部、再生部、及び、制御部を有する録画・再生装置と、上述の認証部を有する管理装置（例えば、実施形態における管理サーバ６１）と、録画・再生装置及び管理装置を接続してデータの送受信を行うネットワークとから構成されることが好ましい。
【０００９】
さらに、本映像がスクランブルされており、管理装置が、本映像のスクランブルを解除するための鍵情報を管理する鍵管理部（例えば、実施形態における鍵管理６２）を有し、制御部が、本映像の再生を許容するときに、鍵管理部から鍵情報を取得して本映像のスクランブルを解除するように構成されることが好ましい。
【発明の効果】
【００１０】
本発明に係る録画・再生システムを以上のように構成すると、録画・再生装置に録画された番組情報を再生する場合は、所定の時間だけＣＭ映像を再生しないと本映像を再生して視聴することができないため、番組提供者はＣＭ映像が視聴されることが担保される。このとき、再生のための認証を行うことにより、不正な手段や装置により番組情報が再生されるのを防止することができる。なお、本映像をスクランブルしておくことにより、不正な手段により本映像が再生されることを防止することができる。また、スクランブルを解除する鍵情報を鍵管理部から取得するように構成することにより、番組情報や鍵情報が改竄されて不正に再生されることを防止することができる。特に、認証部や鍵管理部をネットワークで接続された管理装置で管理することにより信頼性が向上する。
【発明を実施するための最良の形態】
【００１１】
以下、本発明の好ましい実施形態について図面を参照して説明する。本発明に係る録画・再生システム１は、図１に示すように、放送局４０から送信される電波によって搬送される番組情報に、ＣＭ映像の再生時間等の情報を付加して送信し、この番組情報を受信して録画した側（すなわち、録画・再生装置１０）で、ネットワーク５０を介して接続された管理センター６０の管理サーバ６１とデータの送受信を行って、予定した時間通りにこのＣＭ映像が再生されたかを監視して以降に続く映像を再生するか否かを制御するものである。なお、本実施例においては基本的に電波によるテレビ放送（いわゆる地上波アナログ放送）を例に説明を行うが、本発明がこの実施形態に限定されることはなく、デジタル放送（地上波デジタル放送、衛星デジタル放送）やＣＡＴＶ等の有線放送、若しくは、インターネットによるストリーミング放送等にも適用することができる。また、管理センター６０は、後述するように録画・再生装置１０の管理や、番組情報３０のスクランブルを解除するための鍵情報の管理を行うものである。
【００１２】
それでは、この録画・再生システム１について、図２〜４を用いて詳細に説明する。本実施例において、放送局４０から送信される電波で搬送される番組情報３０は、図２に示すようなデータ構造となっており、ＣＭ映像３３の開始を検出するための開始情報３１、ＣＭ映像３３の再生時間等が設定された属性情報３２、ＣＭ映像３３、ＣＭ映像３３の終了を検出するための終了情報３４、及び、本映像（本来の番組映像）３５から構成されている。なお、この本映像３５は、不正な手段で再生が行われることを防止するために、後述する鍵情報でスクランブルされている。
【００１３】
これらの開始情報３１、属性情報３２、及び、終了情報３４等の付加情報は、図１においては説明の都合上、映像信号（ＣＭ映像３３、本映像３５）と連続したデータとして表現されているが、例えば、テレビ放送においては、画像のフレームとフレームの間に挿入される一定の空白部分であるＶＢＩ(Vertical Blanking Interval)等を用いて送信することができ、これにより、従来のテレビ放送のための送受信装置（技術）を用いることができる。このとき、映像信号に対応する音声信号は別の電波で送信される。また、このような映像及び音声信号等からなる番組情報３０をデジタル放送（有線放送やインターネット放送を含む）で送信する場合は、映像信号及び音声信号とは別に設けられたデータ信号の部分に上記付加情報が載せられて、それらが符号化されたのち、パケット単位で送信される。
【００１４】
なお、図２においては、１つのＣＭ映像３３と１つの本映像３５で構成された場合を示しているが、ＣＭ映像３３が本映像３５の間に複数挿入される場合は、図２のデータ構造を繰り返すこととなる（以降の実施例についても同様である）。また、上述の属性情報３２にＣＭ映像３３のハッシュ情報（一方向関数によりＣＭ映像３３が変換された所定のビット数のデータ）等を入れておくことにより、ＣＭ映像３３の再生時にこの送信されたハッシュ情報と再生しようとするＣＭ映像３３のハッシュ情報を計算して比較することにより、録画された番組情報３０のＣＭ映像３３が改竄されて不正に再生されることを防止するように構成することもできる。また、この属性情報３２には、本映像３５のスクランブルを解除するための鍵情報を取得するために、本映像３５を識別するための番組ＩＤも含まれている。
【００１５】
このような、データ構造を有する番組情報３０に対応した本実施例に係る録画・再生装置１０は、図３に示すように、放送局４０からの電波を受信するアンテナ１１、このアンテナ１１で受信した電波を復調して（デジタル放送の場合はさらにデコードして）映像・音声及びデータ情報にする受信部１２、受信した映像・音声及びデータ情報を記憶装置（例えば、ハードディスク（ＨＤＤ））１４に記憶する記憶部１３、ＨＤＤ１４に記憶された映像・音声及びデータ情報を読み出す読み出し部１５、読み出された映像情報及び音声情報をデータ情報に従って後述する方法により再生するか否かを制御する制御部１６、映像及び音声を表示装置（例えばテレビ受像器）２０に出力して再生する再生部１７、及び、再生部１７で再生された映像及び音声の再生時間を計測する再生時間計測部１８から構成される。なお、アンテナ１１、受信部１２、記憶部１３、及び、ＨＤＤ１４は、従来のハードディスク型の録画装置と同様である。
【００１６】
また、この録画・再生装置１０は、インターネット等のネットワーク５０に接続されており、同じくこのネットワーク５０に接続された管理サーバ６１と情報の送受信を行うための通信部１９を有している。一方、管理センター６０に設置されている管理サーバ６１は、ネットワーク５０に接続されており、この管理サーバ６１には、本映像３５のスクランブルを解除するための鍵情報が鍵管理６２に管理されている。この鍵情報は、番組情報３０が放送される前に予め放送局４０により鍵管理６２に登録される。また、管理サーバ６１は、この管理サーバ６１に接続可能な録画・再生装置１０を管理するユーザ管理６３及び、鍵情報を取得した録画・再生装置１０の情報（取得回数や取得時刻等）を管理する統計管理６４を有している。
【００１７】
それでは、ＨＤＤ１４に記憶された映像及び音声情報を再生する方法（ＨＤＤ１４に録画された番組情報３０を再生する方法）について、図４を合わせて用いて説明する。なお、本実施例においては、録画された複数の番組情報３０のうちどれを再生するかという選択等の録画装置に通常実装されている機能については、従来のハードディスク型の録画装置等と同様であるので、説明は省略する。
【００１８】
まず、読み出し部１５によりＨＤＤ１４から読み出された映像・音声情報（ＣＭ映像３３や本映像３５）及びデータ情報（開始情報３１、属性情報３２、及び、終了情報３４）は制御部１６に渡される。そして、制御部１６は開始情報３１によりＣＭ映像３３の開始を検出すると（Ｓ１００）、属性情報３２からＣＭ映像３３の再生時間（以下、「予定再生時間」と呼ぶ）を取得する（Ｓ１０１）。そして、ＣＭ映像３３を再生部１７で再生して表示装置２０に出力する（映像と音声を同期させて出力する）とともに、この再生時間（以下、「実再生時間」と呼ぶ）を再生時間計測部１８で計測する（Ｓ１０２）。ＣＭ映像３３の再生が終わり、制御部１６が終了情報３４によりＣＭ映像３３の終了を検出すると（Ｓ１０３）、通信部１９によりネットワーク５０を介して管理サーバ６１と通信し、ユーザ認証を行い、登録された視聴者であると認証された後に番組ＩＤを送信して鍵管理６２から対応する鍵情報を取得する（Ｓ１０４）。なお、登録された視聴者でないときは、管理サーバ６１は録画・再生装置１０に鍵情報を送信しない。
【００１９】
ここで、ユーザ認証は、例えば、予め録画・再生装置１０に登録されたこの録画・再生装置１０を識別する（すなわち、この録画・再生装置１０を所有する視聴者を識別する）ユーザＩＤやパスワードをＨＤＤ１４に記憶しておき、このユーザＩＤ及びパスワードを管理サーバ６１に送信し、この管理サーバ６１でユーザ管理６３に登録されているユーザ情報と照合することにより行われる。なお、ユーザ認証は、この実施例のように鍵情報を取得するときに常に実行するようにしても良いし、例えば、ＨＤＤ１４に録画されている番組情報３０を選択して再生を開始するときに一度だけ実行するようにしても良い。また、管理サーバ６１では、録画・再生装置１０から鍵情報が要求されると、その鍵情報に対応する番組ＩＤや、要求された回数、要求時刻等の統計情報をユーザＩＤと関連づけて統計管理６４に記憶させる。
【００２０】
このようにして、サーバ装置６１との通信が完了すると、ユーザ認証が正常に行われたか、すなわち鍵情報が取得できたか否かを判定し（Ｓ１０５）、鍵情報が取得された場合は、再生時間計測部１８で計測されたＣＭ映像３３の実再生時間と、Ｓ１０１で属性情報３２から取得した予定再生時間とを比較する（Ｓ１０６）。そして、実再生時間と予定再生時間とが一致した場合は、制御部１６は、続いて本映像３５のスクランブルを鍵情報により解除し（Ｓ１０７）、スクランブルが解除された本映像３５を再生部１７で再生して表示装置２０に出力する（Ｓ１０８）。一方、Ｓ１０５で鍵情報が取得できなかったと判断された場合や、Ｓ１０６で実再生時間と予定再生時間とが相違していると判断された場合（例えば、早送り再生機能でＣＭ映像３３を飛ばした場合）は、制御部１６は本映像３５を再生できないというエラー情報を表示装置２０に出力する（Ｓ１０９）。
【００２１】
このように、映像情報（ＣＭ映像３３及び本映像３５）に付加情報（開始情報３１，属性情報３２及び終了情報３４）を付加することにより、ＣＭ映像３３が予定再生時間通り再生されたときだけ本映像３５を再生するように構成することができるため、番組製作者及び番組提供者（ＣＭ映像の依頼主）はＣＭ映像３３が再生されることが担保される。また、上述のように、これらの付加情報３１，３２，３４は、番組情報（映像信号）のＶＢＩに載せることにより、従来の送受信装置を大きく変更することなしに、本実施例に係る録画・再生装置１０を実現することができる。さらに、本映像に対してスクランブルを掛けることにより、本実施例に係る録画・再生装置１０のみによって、本映像を再生することができるため、不正な手段により本映像が再生されることを防止し、番組製作者等はＣＭ映像が予定再生時間の通りに再生されることを担保することができる。このとき、鍵情報を別に管理して上述のようにネットワーク５０を介して管理サーバ６１から取得するように構成することや、鍵情報を取得するときにユーザ認証を行うことにより、録画された番組情報３０や鍵情報が改竄されて不正に再生されることを防止することができる。
【００２２】
さらに、管理サーバ６１で鍵情報を取得されたときの統計情報を記憶することにより、放送された時間にリアルタイムで視聴した視聴者数だけではなく、録画後の再生を含めて、番組が実際に視聴された視聴者数（いわゆる視聴率）や視聴される時刻を番組製作者（テレビ局４０）は正確に把握することができる。
【００２３】
なお、以上の実施例においては、録画された番組情報３０を再生するときは必ずＣＭ映像３３を決まった時間通りに再生しないと本映像３５（３７）を再生することができないように構成された場合を示しているが、各番組の再生回数を制御部１６でＨＤＤ１４に記憶しておき、所定の回数再生した以降は、制御部１６により、ＣＭ映像３３を再生しなくても（早送りで飛ばしても）本映像３５（３７）を再生可能なように構成することも可能であるし、ＣＭ映像３３の部分をＨＤＤ１４から削除していつでも本映像３５（３７）を再生可能なように構成することも可能である。
【００２４】
また、以上の実施例においては、放送局から送信される番組情報３０のうち、本映像３５は鍵情報によりスクランブルされている場合について説明したが、スクランブルされていない通常の映像情報としても良い。この場合、管理サーバでは鍵情報の管理は行わず、視聴者の視聴時刻や回数等の統計情報を収集する機能となる。あるいは、管理サーバ６１による認証は、録画・再生装置１０に実装されているプログラムが改竄されていないかどうかを、例えば、このプログラムから計算されるハッシュ情報と管理サーバ６１に予め登録されているハッシュ情報とを比較してチェックを行うように構成することも可能である。
【図面の簡単な説明】
【００２５】
【図１】本発明に係る録画・再生システムを示すブロック図である。
【図２】本発明に係る番組情報のデータ構造を示すデータ構造図である。
【図３】本発明に係る録画・再生装置の機能を示すブロック図である。
【図４】本発明に係る番組情報再生のフローチャートである。
【符号の説明】
【００２６】
１  録画・再生システム
１０  録画・再生装置
１４  ＨＤＤ（記憶部）
１５  読み出し部
１６  制御部
１７  再生部
３０  番組情報
３３  ＣＭ映像
３５  スクランブルされた本映像
６１  管理サーバ（管理装置）
６２  鍵管理（鍵管理部）
６３  ユーザ管理（認証部）
【図１】
2006054795.tif 000003
【図２】
2006054795.tif 000004
【図３】
2006054795.tif 000005
【図４】
2006054795.tif 000006